Podtech/llm-jp-corpus-v4-ja_patent huggingface dataset:
【手続補正書】
【提出日】平成21年11月10日(2009.11.10)
【手続補正１】
【補正対象書類名】特許請求の範囲
【補正対象項目名】全文
【補正方法】変更
【補正の内容】
【特許請求の範囲】
【請求項１】
複数の走査線と、
複数のデータ線と、
前記複数の走査線に対応して設けられた複数の容量線と、
前記複数の走査線と前記複数のデータ線とのそれぞれの交差に対応して設けられ、一端が前記データ線に接続されるとともに、前記走査線が選択されたときに前記一端と他端との間が導通状態となる画素スイッチング素子と、
前記画素スイッチング素子の前記他端に接続された画素電極と、
前記画素電極との間で画素容量を構成するコモン電極と、
前記容量線と前記画素電極との間に介挿された蓄積容量と、を含む画素と、
を備える電気光学装置の駆動回路において、
前記走査線を所定の順番で選択する走査線駆動回路と、
一の走査線に対応して設けられた容量線に対して、当該一の走査線が選択されたときに第１給電線の電圧を印加し、当該一の走査線が非選択となってから再び当該一の走査線が選択されるまで第２給電線の電圧を印加する容量線駆動回路と、
選択された走査線に対応する画素に対し、当該画素の表示階調に対応したデータ信号を、データ線を介して供給するデータ線駆動回路と、
を備えることを特徴とする電気光学装置の駆動回路。
【請求項２】
前記容量線駆動回路は、
前記容量線の各々に対応して、第１乃至第４トランジスタを有し、
一の容量線に対応する前記第１トランジスタは、ゲート電極及びソース電極が前記第４トランジスタをオンさせるためのオン電圧を給電するオン電圧給電線に接続され、
前記第２トランジスタは、ゲート電極が当該一の容量線に対応する走査線に接続され、
ソース電極が前記第４トランジスタをオフさせるためのオフ電圧を給電するオフ電圧給電線に接続され、
前記第３トランジスタは、ゲート電極が当該一の容量線に対応する走査線に接続され、
ソース電極が前記第１給電線に接続され、
前記第４トランジスタは、ゲート電極が前記第１および第２トランジスタのドレイン電極に共通接続され、ソース電極が前記第２給電線に接続され、
前記第３及び第４トランジスタのドレイン電極が当該一の容量線に接続されていることを特徴とする請求項１に記載の電気光学装置の駆動回路。
【請求項３】
一の容量線に対応する走査線が非選択となったとき、当該一の容量線の電圧が変化するように、前記第１および第２給電線の電圧が設定されていることを特徴とする請求項１又は２に記載の電気光学装置の駆動回路。
【請求項４】
前記第１給電線の電圧は、異なる２つの電圧が所定の周期で入れ替わり、前記第２の給電線の電圧は一定であることを特徴とする請求項３に記載の電気光学装置の駆動回路。
【請求項５】
前記一の走査線が選択されたときに、当該一の走査線に対応する容量線の検出電圧が目標電圧となるような電圧信号を、前記第１給電線に供給する補正回路を備えることを特徴とする請求項１乃至４の何れか１項に記載の電気光学装置の駆動回路。
【請求項６】
複数の走査線と、複数のデータ線と、前記複数の走査線に対応して設けられた複数の容量線と、
前記複数の走査線と前記複数のデータ線とのそれぞれの交差に対応して設けられ、一端が前記データ線に接続されるとともに、前記走査線が選択されたときに前記一端と他端との間が導通状態となる画素スイッチング素子と、
前記画素スイッチング素子の前記他端に接続された画素電極と、
前記画素電極との間で画素容量を構成するコモン電極と、
前記容量線と前記画素電極との間に介挿された蓄積容量と、を含む画素と、
前記走査線を所定の順番で選択する走査線駆動回路と、
一の走査線に対応して設けられた容量線に対して、当該一の走査線が選択されたときに第１給電線の電圧を印加し、当該一の走査線が非選択となってから再び当該一の走査線が選択されるまで第２給電線の電圧を印加する容量線駆動回路と、
選択された走査線に対応する画素に対し、当該画素の表示階調に対応したデータ信号を、データ線を介して供給するデータ線駆動回路と、
を備えることを特徴とする電気光学装置。
【請求項７】
請求項６に記載の電気光学装置を備える電子機器。
【手続補正２】
【補正対象書類名】明細書
【補正対象項目名】０００５
【補正方法】変更
【補正の内容】
【０００５】
上記課題を解決するために、複数の走査線と、複数のデータ線と、前記複数の走査線に対応して設けられた複数の容量線と、前記複数の走査線と前記複数のデータ線とのそれぞれの交差に対応して設けられ、一端が前記データ線に接続されるとともに、前記走査線が選択されたときに前記一端と他端との間が導通状態となる画素スイッチング素子と、前記画素スイッチング素子の前記他端に接続された画素電極と、前記画素電極との間で画素容量を構成するコモン電極と、前記容量線と前記画素電極との間に介挿された蓄積容量と、を含む画素と、を備える電気光学装置の駆動回路において、前記走査線を所定の順番で選択する走査線駆動回路と、一の走査線に対応して設けられた容量線に対して、当該一の走査線が選択されたときに第１給電線の電圧を印加し、当該一の走査線が非選択となってから再び当該一の走査線が選択されるまで第２給電線の電圧を印加する容量線駆動回路と、選択された走査線に対応する画素に対し、当該画素の表示階調に対応したデータ信号を、データ線を介して供給するデータ線駆動回路と、を備えることを特徴としている。
【手続補正３】
【補正対象書類名】明細書
【補正対象項目名】００１１
【補正方法】変更
【補正の内容】
【００１１】
これにより、第３トランジスタのオン抵抗を大きくしても、容量線に発生する電圧歪みを生じることがなく、表示むら等の発生を防止して表示品質を向上させることができる。
また、第３トランジスタのサイズを小さくすることができるので、表示領域よりも外側の所謂額縁領域を狭くすることができ、コストを削減することができる。
また、第６の発明の電気光学装置は、複数の走査線と、複数のデータ線と、前記複数の走査線に対応して設けられた複数の容量線と、前記複数の走査線と前記複数のデータ線とのそれぞれの交差に対応して設けられ、一端が前記データ線に接続されるとともに、前記走査線が選択されたときに前記一端と他端との間が導通状態となる画素スイッチング素子と、前記画素スイッチング素子の前記他端に接続された画素電極と、前記画素電極との間で画素容量を構成するコモン電極と、前記容量線と前記画素電極との間に介挿された蓄積容量と、を含む画素と、前記走査線を所定の順番で選択する走査線駆動回路と、一の走査線に対応して設けられた容量線に対して、当該一の走査線が選択されたときに第１給電線の電圧を印加し、当該一の走査線が非選択となってから再び当該一の走査線が選択されるまで第２給電線の電圧を印加する容量線駆動回路と、選択された走査線に対応する画素に対し、当該画素の表示階調に対応したデータ信号を、データ線を介して供給するデータ線駆動回路と、を備えることを特徴としている。
【誤訳訂正書】
【提出日】平成23年3月18日(2011.3.18)
【誤訳訂正１】
【訂正対象書類名】明細書
【訂正対象項目名】特許請求の範囲
【訂正方法】変更
【訂正の内容】
【特許請求の範囲】
【請求項１】  補間フェーズの動的計算を使用して、同期信号Ｓ１によって定義される周波数Ｆ１の入力ビデオ信号を、同期信号Ｓ２によって定義される可変周波数Ｆ２の出力ビデオ信号に周波数変換するための方法であって、
書込みポインタＰWに基づいて入力信号をメモリに書き込むステップと、
出力信号を得るためにメモリから読取りを行うステップとを含み、
同期信号Ｓ１を受信した時の書込みポインタＰWの位置を、ＰW_INの値を提供するように記憶し、同期信号Ｓ２を受信した時の書込みポインタＰWの位置を、ＰW_OUTの値を提供するように記憶し、
補間フェーズαを、
【数１】
2001211430.tif 000001
であるように動的計算を行い、ただし、ΔＰW_FIELDが、入力信号の１フィールドまたは１フレームの記憶のために必要とされるメモリ容量であり、ＮCAPが、フィールドまたはフレームの数として表現されるメモリの容量であり、
この値αに対応するフェーズ補間を実行することを特徴とする方法。
【請求項２】  ３つまたは４つの連続するフィールドまたはフレームがメモリに記憶され、この計算された補間フェーズに基づいて、補間フェーズの計算のために使用された信号Ｓ２を受信すると、記憶されているフィールドまたはフレームの後に続くフィールドまたはフレームに対して補間が実行されることを特徴とする請求項１に記載の方法。
【請求項３】  補間フェーズの計算が、アクティブ・ビデオの前に来るフィールドまたはフレーム・ブランキング信号の持続時間に対応する書込みポインタのシフトを考慮に入れることを特徴とする請求項１に記載の方法。
【請求項４】  同期信号Ｓ１によって定義される周波数Ｆ１の入力信号を、同期信号Ｓ２の受信によって定義される可変周波数Ｆ２の出力信号に変換するための動的周波数変換デバイスであって、
書込みポインタＰWに基づいて入力信号を書き込むためのビデオ・メモリ、ならびに第１アクセスとしてのフィールドまたはフレームＴ１の読取り、次いで第２アクセスとしての、それに続くフィールドまたはフレームＴ２の読取りのために、メモリから出力を受信する補間回路を含み、
信号Ｓ１を受信したときのポインタＰWを、値ＰW_INを提供するように記憶するための回路と、
信号Ｓ２を受信したときのポインタＰWを、値ＰW_OUTを提供するように記憶するための回路と、
補間フェーズを、
【数２】
2001211430.tif 000002
で計算する回路であって、ただし、ΔＰW_FIELDが、入力信号の１フィールドまたは１フレームの記憶のために必要とされるメモリ容量であり、ＮCAPが、フィールドまたはフレームの数として表現されるメモリの容量である回路とを含み、
補間回路が、この補間フェーズを受信して、補間されたフィールドまたはフレームを補間フェーズの関数として計算するように、前記補間フェーズを計算する回路と結合されていることを特徴とするデバイス。
【請求項５】  前記補間フェーズを計算する回路が、減算器、マルチプレクサ、乗算器、および加算器から構成されることを特徴とする請求項４に記載のデバイス。
【誤訳訂正２】
【訂正対象書類名】明細書
【訂正対象項目名】００１１
【訂正方法】変更
【訂正の内容】
【００１１】
【課題を解決するための手段】
この目的で、この発明は、補間フェーズの動的計算を使用して、同期信号Ｓ１によって定義される周波数Ｆ１の入力ビデオ信号を、同期信号Ｓ２によって定義される可変周波数Ｆ２の出力ビデオ信号にフィールドまたはフレーム周波数変換するための方法に関係するものであり、書込みポインタＰW_INに基づいて入力信号をメモリに書き込むステップと、出力信号を得るためにメモリから読取りを行うステップとを含み、同期信号Ｓ１を受信した時の書込みポインタＰWの位置を、ＰW_INの値を提供するように記憶し、同期信号Ｓ２を受信した時の書込みポインタＰWの位置を、ＰW_OUTの値を提供するように記憶し、補間フェーズαを、
【数３】
2001211430.tif 000003
となるように動的計算を行い、ただし、ΔＰW_FIELDが、入力信号の１フィールドまたは１フレームの記憶のために必要とされるメモリ容量であり、ＮCAPが、フィールドまたはフレームの数として表現されるメモリの容量であり、方法が、この値に対応するフェーズ補間を実行することを特徴とするものである。
【誤訳訂正３】
【訂正対象書類名】明細書
【訂正対象項目名】００１４
【訂正方法】変更
【訂正の内容】
【００１４】
この発明はまた、同期信号Ｓ１によって定義される周波数Ｆ１の入力信号を、同期信号Ｓ２の受信によって定義される可変周波数Ｆ２の出力信号に変換するための動的周波数変換デバイスに関係するものであって、書込みポインタＰWに基づいて入力信号を書き込むためのメモリ、ならびに前のフィールドまたはフレームＴ１への読取りアクセスおよび次のフィールドまたはフレームＴ２への読取りアクセスのために、メモリから出力を受信する補間回路を含み、さらに、信号Ｓ１を受信したときのポインタＰWを、値ＰW_INを提供するように記憶するための回路と、信号Ｓ２を受信したときのポインタＰWを、値ＰW_OUTを提供するように記憶するための回路と、
【数４】
2001211430.tif 000004
であるように計算を行うための回路であって、ただし、ΔＰW_FIELDが、入力信号の１フィールドまたは１フレームの記憶のために必要とされるメモリ容量であり、ＮCAPが、フィールドまたはフレームの数として表現されるメモリの容量であるものとして、計算を行うための回路とを含むことを特徴とし、補間回路が、この補間フェーズを受信して、補間されたフィールドまたはフレームを補間フェーズの関数として計算するように、計算回路と結合されていることを特徴とするものである。
【手続補正書】
【提出日】平成23年4月11日(2011.4.11)
【手続補正１】
【補正対象書類名】特許請求の範囲
【補正対象項目名】全文
【補正方法】変更
【補正の内容】
【特許請求の範囲】
【請求項１】
診断対象者から採取した生体由来試料における、AKR1C1（aldo-keto reductase family 1 member C1)遺伝子、AKR1C2（aldo-keto reductase family 1 member C2）遺伝子、AKR1C3（aldo-keto reductase family 1 member C3）遺伝子、AKR1C4（aldo-keto reductase family 1 member C4）遺伝子、AKR1B10（aldo-keto reductase family 1 member B10）遺伝子、ALDH3A1(aldehyde dehydrogenase 3 family memberA1)遺伝子、CA2(carbonic anhydrase II)遺伝子、CRAT(carnitine acetyltransferase）遺伝子、CRIP2(Cysteine-rich protein 2）遺伝子、HTRA3(HtrA serine peptidase 3）遺伝子、MYADM(myeloid-associated differentiation marker）遺伝子及びPPP1R14C(protein phosphatase 1, regulatory subunit 14C）遺伝子からなる遺伝子群から選ばれる少なくとも１以上の遺伝子の発現を測定するステップａと、
測定の結果として得られた遺伝子の発現量に基づいてシスプラチンの投与効果を判定するステップｂと、
を含むシスプラチン投与効果判定方法。
【請求項２】
前記ステップａでは、上記遺伝子のmRNA量を測定することを特徴とする請求項１記載のシスプラチン投与効果判定方法。
【請求項３】
前記ステップａでは、上記遺伝子の産物であるタンパク質量を測定することを特徴とする請求項１記載のシスプラチン投与効果判定方法。
【請求項４】
前記生体由来試料は、シスプラチン投与療法を施行する前に採取したものであることを特徴とする請求項１記載のシスプラチン投与効果判定方法。
【請求項５】
前記生体由来試料は、癌患者由来から採取したものであることを特徴とする請求項１記載のシスプラチン投与効果判定方法。
【請求項６】
上記生体由来試料は、頭頚部癌患者、食道癌患者又は肺癌患者から採取したものであることを特徴とする請求項１記載のシスプラチン投与効果判定方法。
【請求項７】
AKR1C1（aldo-keto reductase family 1 member C1)遺伝子、AKR1C2（aldo-keto reductase family 1 member C2）遺伝子、AKR1C3（aldo-keto reductase family 1 member C3）遺伝子、AKR1C4（aldo-keto reductase family 1 member C4）遺伝子、AKR1B10（aldo-keto reductase family 1 member B10）遺伝子、ALDH3A1(aldehyde dehydrogenase 3 family memberA1)遺伝子、CA2(carbonic anhydrase II)遺伝子、CRAT(carnitine acetyltransferase）遺伝子、CRIP2(Cysteine-rich protein 2）遺伝子、HTRA3(HtrA serine peptidase 3）遺伝子、MYADM(myeloid-associated differentiation marker）遺伝子及びPPP1R14C(protein phosphatase 1, regulatory subunit 14C）遺伝子からなる遺伝子群から選ばれる少なくとも１以上の遺伝子の発現を癌細胞及び癌化前の正常細胞についてそれぞれ測定し、
当該癌細胞において測定した遺伝子の発現レベルが当該正常細胞において測定した同遺伝子の発現レベルよりも高い場合、当該癌細胞をシスプラチン耐性であると判断する方法。
【請求項８】
AKR1C1（aldo-keto reductase family 1 member C1)遺伝子、AKR1C2（aldo-keto reductase family 1 member C2）遺伝子、AKR1C3（aldo-keto reductase family 1 member C3）遺伝子、AKR1C4（aldo-keto reductase family 1 member C4）遺伝子、AKR1B10（aldo-keto reductase family 1 member B10）遺伝子、ALDH3A1(aldehyde dehydrogenase 3 family memberA1)遺伝子、CA2(carbonic anhydrase II)遺伝子、CRAT(carnitine acetyltransferase）遺伝子、CRIP2(Cysteine-rich protein 2）遺伝子、HTRA3(HtrA serine peptidase 3）遺伝子、MYADM(myeloid-associated differentiation marker）遺伝子及びPPP1R14C(protein phosphatase 1, regulatory subunit 14C）遺伝子からなる遺伝子群から選ばれる少なくとも１以上の遺伝子の発現を測定するための手段を含む、シスプラチン投与効果判定キット。
【請求項９】
上記手段は、上記遺伝子のmRNA又は当該mRNAに由来するcDNAに対して特異的にハイブリダイズするポリヌクレオチドであることを特徴とする請求項８記載のシスプラチン投与効果判定キット。
【請求項１０】
上記ポリヌクレオチドは、支持体に固定されたものであることを特徴とする請求項９記載のシスプラチン投与効果判定キット。
【請求項１１】
上記手段は、上記遺伝子の産物であるタンパク質に対して特異的に結合する抗体であることを特徴とする請求項８記載のシスプラチン投与効果判定キット。
【手続補正書】
【提出日】平成23年2月24日(2011.2.24)
【手続補正１】
【補正対象書類名】特許請求の範囲
【補正対象項目名】全文
【補正方法】変更
【補正の内容】
【特許請求の範囲】
【請求項１】
呈味性核酸関連物質に対して旨味を増強し、かつ厚味を付与することによる、食品の呈味の改善方法。
【請求項２】
有効量のリボフラビン及びその類縁体からなる群から選択される一以上、並びに食品として許容可能な添加物を含有する、呈味改善剤。
【請求項３】
リボフラビン及びその類縁体からなる群が、ビタミンB2（VB2）、フラビンモノヌクレオチド（FMN）及びフラビンモノヌクレオチドナトリウム（FMNNa）からなる、請求項２記載の剤。
【請求項４】
酵母エキスを含む、請求項２又は３に記載の剤。
【請求項５】
呈味性核酸関連物質に対して旨味を増強し、かつ厚味を付与することにより、食品の呈味を改善するための、酵母エキス。
【請求項６】
リボフラビン及びその類縁体からなる群から選択される一以上、並びに食品として許容可能な添加物を含有する、呈味性核酸関連物質に対して旨味を増強し、かつ厚味を付与するための剤。
【請求項７】
リボフラビン及びその類縁体からなる群が、VB2、FMN及びFMNNaからなる、請求項６記載の剤。
【請求項８】
酵母エキスを含む、請求項６又は７に記載の剤。
【請求項９】
リボフラビン及びその類縁体からなる群から選択される一以上を含有する、呈味性核酸関連物質に対して旨味を増強し、かつ厚味を付与するための、酵母エキス。
【請求項１０】
呈味性核酸関連物質からなる群から選択される一以上、並びにリボフラビン及びその類縁体からなる群から選択される一以上を含有する、食品の呈味を改善するための調味料組成物。
【請求項１１】
リボフラビン及びその類縁体からなる群が、VB2、FMN及びFMNNaからなる、請求項１０記載の組成物。
【請求項１２】
呈味性核酸関連物質からなる群が、5’-イノシン酸、5'-グアニル酸及びそれらのナトリウム塩からなる、請求項１１記載の組成物。
【請求項１３】
呈味性核酸関連物質100重量部に対して、リボフラビン及びその類縁体を0.005〜0.5重量部含む、請求項１０〜１２のいずれか１項記載の組成物。
【請求項１４】
リボフラビン又はその類縁体を添加することを含む、呈味性核酸関連物質に対して旨味を増強し、かつ厚味を付与する方法。
【請求項１５】
呈味性核酸関連物質からなる群から選択される一以上、並びにリボフラビン及びその類縁体からなる群から選択される一以上を含有し、呈味性核酸関連物質の100重量部に対して、リボフラビン及びその類縁体を0.005〜0.5重量部含む、飲食品。
【手続補正２】
【補正対象書類名】明細書
【補正対象項目名】０００９
【補正方法】変更
【補正の内容】
【０００９】
１）呈味性核酸関連物質に対して旨味を増強し、かつ厚味を付与することによる、食品の呈味の改善方法。
２（有効量のリボフラビン及びその類縁体からなる群から選択される一以上、並びに食品として許容可能な添加物を含有する、呈味改善剤。
３）リボフラビン及びその類縁体からなる群が、ビタミンB2（VB2）、フラビンモノヌクレオチド（FMN）及びフラビンモノヌクレオチドナトリウム（FMNNa）からなる、２）記載の剤。
４）酵母エキスを含む、２）又は３）に記載の剤。
５）呈味性核酸関連物質に対して旨味を増強し、かつ厚味を付与することにより、食品の呈味を改善するための、酵母エキス。
６）リボフラビン及びその類縁体からなる群から選択される一以上、並びに食品として許容可能な添加物を含有する、呈味性核酸関連物質に対して旨味を増強し、かつ厚味を付与するための剤。
７）リボフラビン及びその類縁体からなる群が、VB2、FMN及びFMNNaからなる、６）記載の剤。
８）酵母エキスを含む、６）又は７）に記載の剤。
９）リボフラビン及びその類縁体からなる群から選択される一以上を含有する、呈味性核酸関連物質に対して旨味を増強し、かつ厚味を付与するための、酵母エキス。
１０）呈味性核酸関連物質からなる群から選択される一以上、並びにリボフラビン及びその類縁体からなる群から選択される一以上を含有する、食品の呈味を改善するための調味料組成物。
１１）リボフラビン及びその類縁体からなる群が、VB2、FMN及びFMNNaからなる、１０）記載の組成物。
１２）呈味性核酸関連物質からなる群が、5’-イノシン酸、5'-グアニル酸及びそれらのナトリウム塩からなる、１１）の組成物。
１３）呈味性核酸関連物質100重量部に対して、リボフラビン及びその類縁体を0.005〜0.5重量部含む、１０）〜１２）のいずれか一記載の組成物。
１４）リボフラビン又はその類縁体を添加することを含む、呈味性核酸関連物質に対して旨味を増強し、かつ厚味を付与する方法。
１５）呈味性核酸関連物質からなる群から選択される一以上、並びにリボフラビン及びその類縁体からなる群から選択される一以上を含有し、呈味性核酸関連物質の100重量部に対して、リボフラビン及びその類縁体を0.005〜0.5重量部含む、飲食品。
【手続補正書】
【提出日】平成22年11月11日(2010.11.11)
【手続補正１】
【補正対象書類名】特許請求の範囲
【補正対象項目名】全文
【補正方法】変更
【補正の内容】
【特許請求の範囲】
【請求項１】
塗装機器を洗浄する際に前記塗装機器から排出される洗浄廃液を循環させる循環ラインと、
前記循環ライン上に設けられると共に、前記洗浄廃液を、前記循環ライン上を循環する濃縮液と透過液とに分離するクロスフロー膜部と、
前記濃縮液の循環流量を検出する循環流量検出部と、
前記クロスフロー膜部への前記洗浄廃液の供給圧を一定に保持すると共に、前記循環流量検出部で検出された循環流量に基づいて前記濃縮液の循環を停止させる制御部と、
を備えることを特徴とする膜濾過システム。
【請求項２】
前記制御部は、前記濃縮液の循環流量が所定の閾値以下になると前記濃縮液の循環を停止させることを特徴とする請求項１記載の膜濾過システム。
【請求項３】
前記制御部は、前記濃縮液の循環流量と、単位膜面積当りの前記透過液の透過流量とを乗じた値が、所定の閾値以下になると前記濃縮液の循環を停止させる事を特徴とする請求項１記載の膜濾過システム。
【請求項４】
前記洗浄廃液は、水性シンナーを用いて前記塗装機器を洗浄した際に排出される水性シンナー廃液であることを特徴とする請求項１〜３のいずれか一項記載の膜濾過システム。
【請求項５】
塗装機器を洗浄する際に前記塗装機器から排出される洗浄廃液を循環させる循環ラインと、前記循環ライン上に設けられると共に、前記洗浄廃液を、前記循環ライン上を循環する濃縮液と透過液とに分離するクロスフロー膜部とを備える膜濾過システムの運転方法において、
前記クロスフロー膜部への前記洗浄廃液の供給圧を一定に保持すると共に、前記濃縮液の循環流量を検出し、検出された前記濃縮液の循環流量に基づいて前記濃縮液の循環を停止させることを特徴とする膜濾過システムの運転方法。
【請求項６】
前記濃縮液の循環流量が所定の閾値以下になると前記濃縮液の循環を停止させることを特徴とする請求項５記載の膜濾過システムの運転方法。
【請求項７】
前記濃縮液の循環流量と、単位膜面積当りの前記透過液の透過流量とを乗じた値が、所定の閾値以下になると前記濃縮液の循環を停止させる事を特徴とする請求項５記載の膜濾過システムの運転方法。
【請求項８】
前記洗浄廃液は、水性シンナーを用いて前記塗装機器を洗浄した際に排出される水性シンナー廃液であることを特徴とする請求項５〜７のいずれか一項記載の膜濾過システムの運転方法。
【手続補正書】
【提出日】平成23年3月31日(2011.3.31)
【手続補正１】
【補正対象書類名】特許請求の範囲
【補正対象項目名】全文
【補正方法】変更
【補正の内容】
【特許請求の範囲】
【請求項１】
物体の内部を含む表面状全体が弾力性を保有し、弾性体全体が弾力の硬軟があるもの、弾力の凹凸形状の大小・硬軟・変形があるもの、弾力の硬軟があるものと弾力の凹凸形状の大小・硬軟・変形があるものについて、それぞれを適当としたアナログ、又はデジタルな変化形成によって部位的、或いは点在的に混合して複合する表面が正方形、長方形、円形、多角形、変形等の大小のマット状や外観が立方体、直方体、球、だ円球、円柱、半円柱、その他立体、変形立体等の大小の立体状の立体構造となるものを設け、立体構造物の混合する内部の弾性体は各固体の合成、あるいは、各気体の分割を弾性物で包囲して合成のものから構成し、各使用弾力の硬軟度の中位の弾力のあるもの、又は適度な弾力のあるものを全体の表裏面、表面の一枚ものの外面部の弾性体で覆い、混合する内外部の弾性体構造の形成、構成を自在に変化する硬域と軟域の境界部、凹域と凸域の境界部のそれぞれがシームレスの場合は表面の一枚ものの弾性体での覆いは除くこともでき、弾力の硬度から軟度の幅、弾力の凹凸形状の大から小の幅、形状の変形幅、混合する組み合わせや立体形状の構成を三次元で変化させることにより、媒体の可変度合の範囲を加減することができるようにし、弾性体変位構造の運動用具の媒体に非定常で複雑化した不安定な運動形態能力の抵抗体の負荷が生起して、負荷能力が流動的でリアリティーに変化する構成要素を有することを特徴とした弾性体変位構造の運動用具。
【手続補正書】
【提出日】平成23年3月18日(2011.3.18)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域が前面に形成された遊技板と、
前記遊技領域内に配置され遊技媒体が入賞可能な始動口と、
該始動口に遊技媒体が入球したことを検出する入球状態検出手段と、
該入球状態検出手段による前記遊技媒体の検出に基づいて抽選を行う抽選手段と、
前記抽選手段による抽選結果に基づき、通常遊技状態よりも遊技者に有利となる有利遊技状態を発生させる有利遊技状態発生手段と、
前記遊技板の略中央部に開口される開口部に取着され、遊技媒体が流下可能な遊技領域を区画形成する枠状部材と、
前記遊技板の後方に配置され、前記枠状部材の開口を介して表示領域に表示される所定の演出画像が視認可能な演出表示装置と、
前記枠状部材の後方で且つ前記表示領域の周辺前方に設けられる可動装飾体と、
前記通常遊技状態にあるとき、遊技者が視認可能な所定の演出画像を前記可動装飾体による隠蔽によって追い込むべく前記可動装飾体を前記表示領域の一部を覆う障蔽位置に滞在させる圧迫状態演出手段と、
前記有利遊技状態にあるとき、遊技者が視認可能な所定の演出画像を前記可動装飾体による隠蔽から解き放たれた略全域へと開放するべく前記可動装飾体を前記表示領域の前方から退避する退避位置に滞在させる開放状態演出手段と、を備えることを特徴とする遊技機。
【請求項２】
前記可動装飾体は、奥行き方向において厚みのある立体形状の部材からなることを特徴とする請求項１記載の遊技機。
【請求項３】
前記圧迫状態演出手段は、前記障蔽位置として前記枠状部材の開口よりも内側に前記可動装飾体が遊技者に視認可能となる位置に滞在させる一方、
前記開放状態演出手段は、前記退避位置として前記枠状部材の開口と略同等若しくはそれよりも外側に前記可動装飾体が退避する位置に滞在させることを特徴とする請求項１または請求項２に記載の遊技機。
【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
被検眼に可視光を投光する投光手段と、
前記投光手段からの可視光により生ずる前記被検眼の瞳孔径の変化量を検出する検出手段と、
前記変化量に基づいて前記被検眼を撮影するための撮影動作を制御する制御手段と、
を有することを特徴とする眼科装置。
【請求項２】
前記制御手段は、前記変化量が所定値未満の場合に前記被検眼を散瞳撮影するように前記撮影動作を制御することを特徴とする請求項１に記載の眼科装置。
【請求項３】
前記変化量が所定値未満の場合に前記可視光の光量が閾値以上か否かを判断する判断手段を有することを特徴とする請求項１あるいは２に記載の眼科装置。
【請求項４】
前記被検眼を照明するための照明光学系の光軸で挿脱可能に設けられた可視光を遮断する遮断手段を有し、
前記制御手段は、前記可視光の光量が前記閾値以上である場合に、前記遮断手段を前記照明光学系の光軸から外し、前記投光手段を前記照明光学系の光軸から外すことを特徴とする請求項３に記載の眼科装置。
【請求項５】
前記制御手段は、前記可視光の光量が前記閾値未満の場合に、前記投光手段を制御して前記光量を変更し、前記検出手段を制御して該変更された光量の可視光を前記被検眼に投光してから所定時間経過後に前記変化量を検出することを特徴とする請求項３あるいは４に記載の眼科装置。
【請求項６】
前記制御手段は、前記変化量が所定値以上の場合に前記被検眼を無散瞳撮影するように前記撮影動作を制御することを特徴とする請求項１乃至５のいずれか１項に記載の眼科装置。
【請求項７】
前記制御手段は、前記変化量が所定値以上の場合に前記被検眼を照明するための照明光学系の光軸から前記投光手段を外すことを特徴とする請求項１乃至６のいずれか１項に記載の眼科装置。
【請求項８】
前記変化量が所定値以上の場合に前記被検眼の撮影を中止するか継続するかを選択する選択手段を有し、
前記制御手段は、前記選択手段が前記撮影の継続を選択した場合に前記被検眼を照明するための照明光学系の光軸から前記投光手段を外すことを特徴とする請求項１乃至７のいずれか１項に記載の眼科装置。
【請求項９】
前記変化量が所定値以上の場合に前記被検眼の撮影を中止するか継続するかを選択する選択手段を有し、
前記制御手段は、前記選択手段が前記撮影の継続を選択した場合に前記検出手段を制御して前記変化量を検出することを特徴とする請求項１乃至７のいずれか１項に記載の眼科装置。
【請求項１０】
前記変化量が所定値以上の場合に前記被検眼が散瞳していないことを通知する通知手段を有することを特徴とする請求項１乃至９のいずれか１項に記載の眼科装置。
【請求項１１】
前記被検眼に照明するための照明光学系の光軸で挿脱可能に設けられた可視光を遮断する遮断手段を有し、
前記制御手段は、前記変化量が所定値以上の場合に前記遮断手段を前記照明光学系の光軸上に移動することを特徴とする請求項１乃至１０のいずれか１項に記載の眼科装置。
【請求項１２】
前記投光手段は、
前記被検眼の視線を誘導するための固視目標投影手段、
前記被検眼を観察するための観察光投影手段、
前記被検眼を撮影するための撮影光投影手段、
の少なくとも１つであることを特徴とする請求項１乃至１１のいずれか１項に記載の眼科装置。
【請求項１３】
被検眼の瞳孔径の変化量を検出する検出手段と、
前記変化量に基づいて前記被検眼を撮影するための撮影動作を制御する制御手段と、
を有することを特徴とする眼科装置。
【請求項１４】
前記制御手段は、前記変化量が所定値未満の場合に前記被検眼を散瞳撮影するように前記撮影動作を制御することを特徴とする請求項１３に記載の眼科装置。
【請求項１５】
前記被検眼を照明するための照明光学系の光軸で挿脱可能に設けられた可視光を遮断する遮断手段を有し、
前記制御手段は、前記変化量が所定値未満の場合に前記遮断手段を前記照明光学系の光軸から外すことを特徴とする請求項１３あるいは１４に記載の眼科装置。
【請求項１６】
前記制御手段は、前記変化量が所定値以上の場合に前記被検眼を無散瞳撮影するように前記撮影動作を制御することを特徴とする請求項１３乃至１５のいずれか１項に記載の眼科装置。
【請求項１７】
前記被検眼に照明する光の波長領域を可視領域と不可視領域とで切り換える切換手段を有し、
前記制御手段は、前記変化量に基づいて前記切換手段を制御することにより前記撮影動作を制御することを特徴とする請求項１乃至１６のいずれか１項に記載の眼科装置。
【請求項１８】
前記検出手段は、前記可視光の光量上昇前の瞳孔径から前記光量上昇後の瞳孔径を減算して前記変化量を検出することを特徴とする請求項１乃至１７のいずれか１項に記載の眼科装置。
【手続補正書】
【提出日】平成23年4月4日(2011.4.4)
【手続補正１】
【補正対象書類名】特許請求の範囲
【補正対象項目名】全文
【補正方法】変更
【補正の内容】
【特許請求の範囲】
【請求項１】
撮像空間に静磁場を発生する静磁場発生部と、撮像空間に配置された被検体に傾斜磁場パルスを印加する傾斜磁場発生部と、前記被検体に高周波磁場パルスを照射する高周波照射部と、前記被検体が発生する核磁気共鳴信号を取得する受信部と、前記受信部の取得した信号を演算処理し、画像を再構成する信号処理部と、前記高周波照射部、前記傾斜磁場発生部および受信部の動作を制御して所定のパルスシーケンスを実行させる制御部とを有する核磁気共鳴イメージング装置において、
前記被検体に周期的運動を誘導する誘導手段を備えたことを特徴とする磁気共鳴イメージング装置。
【請求項２】
請求項１記載の磁気共鳴イメージング装置において、
前記周期的運動は、被検体の呼吸であることを特徴とする磁気共鳴イメージング装置。
【請求項３】
請求項1記載の磁気共鳴イメージング装置において、
前記誘導手段は、前記撮像空間あるいは前記磁気共鳴イメージング装置の配置されるシールドルーム内の明るさを周期的に変えることにより、前記被検体の周期的運動を誘導することを特徴とする磁気共鳴イメージング装置。
【請求項４】
請求項１記載の磁気共鳴イメージング装置において、
前記制御部は、前記誘導手段により誘導された被検体の周期的運動の位相が所望の時に、前記所定のパルスシーケンスを実行することを特徴とする磁気共鳴イメージング装置。
【請求項５】
請求項２記載の磁気共鳴イメージング装置において、
前記所定のパルスシーケンスは２種類以上あり、前記２種類以上のうちいずれかは前記呼吸が息止めされた時に実行され、他のいずれかは、前記呼吸が息止めされていない時に実行されることを特徴とする磁気共鳴イメージング装置。
【手続補正書】
【提出日】平成23年3月23日(2011.3.23)
【手続補正１】
【補正対象書類名】特許請求の範囲
【補正対象項目名】全文
【補正方法】変更
【補正の内容】
【特許請求の範囲】
【請求項１】
被検体に対して超音波信号を送受信する複数の素子と、前記複数の素子を相対的に可動に連結する連結部とを備える探触子と、
前記複数の素子の受信信号に基づいて、前記複数の素子の相対的位置情報を演算する演算部と、
前記受信信号と前記相対的位置情報とから、画像データを生成する画像データ生成部とを有する超音波撮像装置。
【請求項２】
前記演算部は、前記相対的位置情報として、前記複数の素子の回転角度を演算すること
を特徴とする請求項１に記載の超音波撮像装置。
【請求項３】
前記演算部は、前記相対的位置情報として、前記探触子の形状情報を演算することを特
徴とする請求項１に記載の超音波撮像装置。
【請求項４】
前記演算部は、評価関数を格納する格納部、前記格納部から読み出した評価関数を用い
て演算する評価演算部とを有することを特徴とする請求項１に記載の超音波撮像装置。
【請求項５】
前記格納部は、前記評価関数として点応答関数を格納することを特徴とする請求項１に記
載の超音波撮像装置。
【請求項６】
前記格納部は、前記評価関数として前記複数の素子の受信信号の相互相関を演算する関
数を格納することを特徴とする請求項１に記載の超音波撮像装置。
【請求項７】
前記評価演算部は、前記複数の素子について、素子ごとに束ねて前記受信信号の遅延時
間を演算することを特徴とする請求項１に記載の超音波撮像装置。
【請求項８】
前記評価演算部は、受信信号の前記評価関数として点応答関数を読み出し、前記点応答
関数の幅が最小になるように前記受信信号の遅延時間を制御することを特徴とする請求項
１に記載の超音波撮像装置。
【請求項９】
前記複数の素子は、素子幅、間隔幅が少なくとも一部の部位で異なることを特徴とする
請求項１に記載の超音波撮像装置。
【請求項１０】
前記複数の素子の相対的な位置を制御するアクチュエータをさらに有することを特徴と
する請求項１に記載の超音波撮像装置。
【請求項１１】
前記複数の素子は2次元アレイであることを特徴とする請求項１に記載の超音波撮像装置。
【請求項１２】
被検体と超音波信号を送受信するための複数の素子と、
前記複数の素子を相対的に可動に連結する連結部とを備える探触子。
【請求項１３】
前記複数の素子は、素子幅、間隔幅が少なくとも一部の部位で異なる請求項１２に記載探触子。
【請求項１４】
前記連結部はシート部材であり、前記複数の素子は前記シート部材を介して接続されることを特徴とする請求項１２に記載の探触子。
【請求項１５】
前記複数の素子の相対的な位置を制御するアクチュエータをさらに有することを特徴とする請求項１２に記載の探触子。
【請求項１６】
前記複数の素子の間に配置される充填剤をさらに有することを特徴とする請求項１２に記載の探触子。
【請求項１７】
前記複数の素子は、チタンジルコン酸鉛素子、ポリフッ化ビニリデン素子、ｃＭＵT素子のいずれかであることを特徴とする請求項１２に記載の探触子。
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
遊技領域を流下する遊技球を受け入れ可能な第１始動口と、
前記第１始動口への遊技球の受け入れに基づいて抽選情報を取得し蓄積する第１抽選情報蓄積手段と、
常には前記第１始動口よりも遊技球の受け入れが困難な第２始動口と、
前記第２始動口への遊技球の受け入れに基づいて抽選情報を取得し蓄積する第２抽選情報蓄積手段と、
常には所定の確率で当たりとなりうる内部的な抽選処理を前記抽選情報に基づいて1ずつ行う抽選手段と、
前記内部的な抽選処理の結果が当たりであることに基づいて、遊技者に有利な特典遊技を付与する特典遊技付与手段と、
前記特典遊技を付与したのちの遊技状態を、予め定められた所定期間に限って、前記所定の確率よりも高い確率で当たりとなりうる前記内部的な抽選処理が行われる特別遊技状態に制御する特別遊技状態制御手段と、
前記内部的な抽選処理の結果が当たりであることに基づいて、当たり演出を行い、当該当たり演出の終了後に前記特典遊技付与手段により特典遊技が付与されることを実感させる演出実行手段と、
蓄積状態にある前記抽選情報についての前記内部的な抽選処理の結果を発表しうる内示手段と、
を備え、
前記抽選手段は、前記第２抽選情報蓄積手段により蓄積された抽選情報を用いて順に前記内部的な抽選処理を行い、当該抽選処理に際し抽選すべき当該第２抽選情報蓄積手段により蓄積された抽選情報がない場合には、前記第１抽選蓄積手段によって蓄積されている抽選情報を用いて前記内部的な抽選処理を行う特別抽選手段を有するとともに、
前記内示手段は、前記特典遊技の付与中に前記蓄積状態にある前記抽選情報についての前記内部的な抽選処理の結果が当たりとなりうる場合に、当該特典遊技に基づく特別遊技状態に制御されるまでに、当該蓄積状態の抽選情報により当たりとなりうることを発表する特別内示手段を有する
ことを特徴とする遊技機。
【請求項２】
前記第１始動口または前記第２始動口への遊技球の受け入れに基づいて取得して蓄積される抽選情報は、乱数である
請求項１に記載の遊技機。
【請求項３】
所定の演出画像が表示される演出表示手段をさらに備え、
前記内示手段による発表は、前記演出表示手段にて行われるものである
請求項１または２に記載の遊技機。
【手続補正２】
【補正対象書類名】明細書
【補正対象項目名】０００６
【補正方法】変更
【補正の内容】
【０００６】
上記課題を解決するための本発明に係る遊技機は、遊技領域を流下する遊技球を受け入れ可能な第１始動口と、前記第１始動口への遊技球の受け入れに基づいて抽選情報を取得し蓄積する第１抽選情報蓄積手段と、常には前記第１始動口よりも遊技球の受け入れが困難な第２始動口と、前記第２始動口への遊技球の受け入れに基づいて抽選情報を取得し蓄積する第２抽選情報蓄積手段と、常には所定の確率で当たりとなりうる内部的な抽選処理を前記抽選情報に基づいて1ずつ行う抽選手段と、前記内部的な抽選処理の結果が当たりであることに基づいて、遊技者に有利な特典遊技を付与する特典遊技付与手段と、前記特典遊技を付与したのちの遊技状態を、予め定められた所定期間に限って、前記所定の確率よりも高い確率で当たりとなりうる前記内部的な抽選処理が行われる特別遊技状態に制御する特別遊技状態制御手段と、前記内部的な抽選処理の結果が当たりであることに基づいて、当たり演出を行い、当該当たり演出の終了後に前記特典遊技付与手段により特典遊技が付与されることを実感させる演出実行手段と、蓄積状態にある前記抽選情報についての前記内部的な抽選処理の結果を発表しうる内示手段と、を備え、前記抽選手段は、前記第２抽選情報蓄積手段により蓄積された抽選情報を用いて順に前記内部的な抽選処理を行い、当該抽選処理に際し抽選すべき当該第２抽選情報蓄積手段により蓄積された抽選情報がない場合には、前記第１抽選蓄積手段によって蓄積されている抽選情報を用いて前記内部的な抽選処理を行う特別抽選手段を有するとともに、前記内示手段は、前記特典遊技の付与中に前記蓄積状態にある前記抽選情報についての前記内部的な抽選処理の結果が当たりとなりうる場合に、当該特典遊技に基づく特別遊技状態に制御されるまでに、当該蓄積状態の抽選情報により当たりとなりうることを発表する特別内示手段を有することを要旨とするものである。
【手続補正書】
【提出日】平成23年9月5日(2011.9.5)
【手続補正１】
【補正対象書類名】特許請求の範囲
【補正対象項目名】全文
【補正方法】変更
【補正の内容】
【特許請求の範囲】
【請求項１】
Ｕ相、Ｖ相およびＷ相の各コイルを含む複数のコイルと、
各上記コイルを結線する結線板とを備え、
上記結線板は、絶縁層と、導電体を含むＵ相層、Ｖ相層、Ｗ相層および中性点層とを積層した多層回路基板を含み、
上記Ｕ相層、Ｖ相層、Ｗ相層および中性点層のそれぞれは、導電体を用いて形成された導電部と、絶縁部とを含むことを特徴とするモータ。
【請求項２】
請求項１において、上記多層回路基板には、上記モータの回転軸の回転位置を検出するためのセンサが設けられているモータ。
【請求項３】
請求項１または２において、上記多層回路基板は、上記コイルが挿通する挿通孔を含み、この挿通孔は、多層回路基板の縁部に開放するスリットを有していて、
上記挿通孔は、少なくとも上記Ｕ相層、Ｖ相層、Ｗ相層および中性点層のそれぞれに対応して複数設けられており、
Ｕ相層、Ｖ相層、Ｗ相層および中性点層の各層における上記絶縁部は、各層に対応する挿通孔以外の挿通孔に臨むように配置された絶縁体からなるモータ。
【請求項４】
請求項１〜３のいずれか１項に記載のモータと、
上記モータの出力が伝達される転舵機構とを備える車両用操舵装置。
【手続補正２】
【補正対象書類名】明細書
【補正対象項目名】０００５
【補正方法】変更
【補正の内容】
【０００５】
上記目的を達成するため、本発明は、Ｕ相、Ｖ相およびＷ相の各コイル（６９Ｕ，６９Ｖ，６９Ｗ）を含む複数のコイル（６９）と、各上記コイルを結線する結線板（７１）とを備え、上記結線板は、絶縁層（１３１，１３２，１３３，１３４，１３５）と、導電体（１３６Ｕ，１３６Ｖ，１３６Ｗ，１３６Ｍ；１３６ＵＡ，１３６ＶＡ，１３６ＷＡ）を含むＵ相層（１３０Ｕ）、Ｖ相層（１３０Ｖ）、Ｗ相層（１３０Ｗ）および中性点層（１３０Ｍ）とを積層した多層回路基板を含み、上記Ｕ相層、Ｖ相層、Ｗ相層および中性点層のそれぞれは、導電体を用いて形成された導電部（１３６Ｕ，１３６Ｖ，１３６Ｗ，１３６Ｍ）と、絶縁部（１３７Ｕ，１３７Ｖ，１３７Ｗ，１３７Ｍ）とを含むことを特徴とするモータ（１８）を提供するものである（請求項１）。
【手続補正３】
【補正対象書類名】明細書
【補正対象項目名】０００７
【補正方法】変更
【補正の内容】
【０００７】
また、本発明において、上記多層回路基板は、上記コイルが挿通する挿通孔（１２５）を含み、この挿通孔は、多層回路基板の縁部（１２４）に開放するスリット（１２６）を有していて、上記挿通孔は、少なくとも上記Ｕ相層、Ｖ相層、Ｗ相層および中性点層のそれぞれに対応して複数設けられており、Ｕ相層、Ｖ相層、Ｗ相層および中性点層の各層における上記絶縁部は、各層に対応する挿通孔以外の挿通孔に臨むように配置された絶縁体からなる場合がある（請求項３）。この場合、コイルを多層回路基板に接続する作業において、スリットからコイルを通すことができ、この接続作業をより容易に行うことができる。
【手続補正書】
【提出日】平成23年9月5日(2011.9.5)
【手続補正１】
【補正対象書類名】特許請求の範囲
【補正対象項目名】全文
【補正方法】変更
【補正の内容】
【特許請求の範囲】
【請求項１】
ニッケルめっきが施された第１のバスバーと、
すずめっきが施された第２のバスバーと、を備え、
上記第１のバスバーにモータを制御するための第１の部品がワイヤボンディングを用いて接続され、
上記第２のバスバーに第２の部品が抵抗溶接を用いて接続され、
上記第１および第２のバスバーの所定部同士がＴＩＧ溶接を用いて互いに接続されていることを特徴とするモータ制御装置。
【請求項２】
請求項１において、上記第１の部品が、モータ駆動回路の端子であり、上記第２の部品が、モータ電流のリップルを除去するためのコンデンサであるモータ制御装置。
【請求項３】
請求項１または２に記載のモータ制御装置と、
上記モータ制御装置によって制御されるモータと、を備える車両用操舵装置。
【手続補正２】
【補正対象書類名】明細書
【補正対象項目名】０００５
【補正方法】変更
【補正の内容】
【０００５】
このような知見に基づいて本願発明者がなした本発明は、ニッケルめっきが施された第１のバスバー（１３３，１５１）と、すずめっきが施された第２のバスバー（１３４，１５２）と、を備え、上記第１のバスバーにモータ（１８）を制御するための第１の部品（７８）がワイヤボンディングを用いて接続され、上記第２のバスバーに第２の部品（８５）が抵抗溶接を用いて接続され、上記第１および第２のバスバーの所定部（１４６，１４７）同士がＴＩＧ溶接を用いて互いに接続されていることを特徴とするモータ制御装置（１２）である（請求項１）。
【手続補正３】
【補正対象書類名】明細書
【補正対象項目名】０００７
【補正方法】変更
【補正の内容】
【０００７】
また、この場合、第１のバスバーのうちワイヤボンディングされる部分を、ワイヤボンディングに一般的に適用されるニッケルめっき層で構成でき、コスト安価に、且つ、高品質に、ワイヤボンディングを施すことができる。
【手続補正４】
【補正対象書類名】明細書
【補正対象項目名】０００８
【補正方法】変更
【補正の内容】
【０００８】
また、この場合、第２のバスバーのうち抵抗溶接される部分を、抵抗溶接に一般的に適用されるすずめっき層で構成でき、コスト安価に、且つ、高品質に、抵抗溶接を施すことができる。
また、本発明において、上記第１の部品が、モータ駆動回路の端子であり、上記第２の部品が、モータ電流のリップルを除去するためのコンデンサである（請求項２）。
また、本発明は、上記のモータ制御装置と、上記モータ制御装置によって制御されるモータと、を備える車両用操舵装置（１）を提供するものである（請求項３）。この場合、コスト安価に、高品質の車両用操舵装置を実現することができる。
【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
前後方向に長尺な本体と、本体に対して前後方向に移動可能に設けられた移動体と、移動体に設けられて被切断物の上に載置される軸座体と、本体の前側に設けられて被切断物を切断し得る刃体と、移動体に対して軸座体を縦軸廻りに旋回可能且つ前後方向のみに傾倒可能に支持する旋回傾倒手段と、から構成した事を特徴とする円切りカッタ。
【請求項２】
刃体は、円板状を呈して前後方向軸廻りに回転可能に設けられている請求項１に記載の円切りカッタ。
【請求項３】
旋回傾倒手段は、移動体に形成されて軸座体を縦軸廻りに旋回可能且つ前後方向のみに傾倒可能に支持する受孔と、移動体に形成されて軸座体の傾倒を許容する上下の円弧面と、軸座体に形成されて移動体の円弧面に当合して抜け止めを行う上下の抜止面とを備えている請求項１又は２に記載の円切りカッタ。
【請求項４】
移動体と軸座体との間には、軸座体を常時後傾すべく付勢する弾性体が設けられている請求項１〜３の何れかに記載の円切りカッタ。
【請求項５】
弾性体は、板バネ状を呈して移動体に一体に形成されている請求項４に記載の円切りカッタ。
【手続補正書】
【提出日】平成23年4月6日(2011.4.6)
【手続補正１】
【補正対象書類名】特許請求の範囲
【補正対象項目名】全文
【補正方法】変更
【補正の内容】
【特許請求の範囲】
【請求項１】
遊技機背面側に設けられるとともに上方が開放され、底部と当該底部の周囲に立設された側壁部とによって形成された領域に遊技球を貯留する球タンクと、
遊技球を前記球タンクから排出する開口部へ向けて下り傾斜させることにより前記球タンクに貯留されている遊技球を前記開口部へ誘導するものであって、前記球タンクの前記底部に形成された傾斜部と、
前記球タンクから前記開口部を介して排出された遊技球を当該開口部の下方位置において受け止めるとともに、当該遊技球を所定方向へ誘導する誘導通路部と、
前記球タンクの一部を遊技機後方へ突出させて形成されるとともに、前記開口部の少なくとも一部が配置されている突出部と、
前記開口部の上方空間の少なくとも一部について当該開口部よりも上方への遊技球の連続した積み重なりを、前記球タンクの前記側壁部の上端部よりも下方に規制する規制部と、
を備えていることを特徴とする遊技機。
【請求項２】
前記規制部は、前記開口部から上方に離間させて配置されているとともに、当該規制部よりも上流側からの遊技球の流下方向に対して交差する交差面を有し、
前記交差面は、前記上流側からの遊技球と当接することにより当該規制部より下流側への遊技球の移動を規制する当接面であることを特徴とする請求項１に記載の遊技機。
【請求項３】
前記規制部は、前記突出部における遊技機後方側の部位のうち、前記開口部上方の所定高さ位置から上端部までを遊技機前方側へオフセットさせることによって形成されていることを特徴とする請求項２に記載の遊技機。
【請求項４】
前記突出部は、前記開口部の周縁部から立設された内面でありかつ遊技機後方側ほど前記誘導通路部が誘導する前記所定方向へ向かって湾曲している湾曲面を有し、
前記誘導通路部における当該湾曲面の下方に位置する部位には、遊技機後方側ほど前記誘導通路部が誘導する前記所定方向へ向かって湾曲している湾曲面が設けられていることを特徴とする請求項１乃至３いずれか１に記載の遊技機。